(57)【要約】【課題】店員の作業を軽減してレジ待ちを抑制しつつ、不正精算を把握する。【解決手段】商品Ｍ毎の価格データを読取り、全商品Ｍについての読取りが終了した時刻を記憶する第１読取り装置２５を設け、その近くに、読取られた合計金額が印刷された精算券３１を発行する発券装置３０を配置する。精算券３１の合計金額を読取る第２読取り装置３５を第１読取り装置２５から離れた箇所に配置し、その近くに金銭収受装置４０を配置する。撮像装置５０は第１読取り装置２５の近くの購買者Ｂを撮影し、その画像データを撮影時刻に関連付けて記憶する。識別装置５５は、第１読取り装置２５による読取り終了時刻から所定時間以内に、第２読取り装置３５による合計金額の金銭が金銭収受装置４０で収受されないと、上記読取り終了時刻に撮像装置５０にて記憶された画像データに対し、不正精算を示す識別データを付す。【選択図】図１
0003185696.tif 000002
【実用新案登録請求の範囲】
【請求項１】
購買者の購買予定の商品毎に付された価格データを読取るとともに、購買予定の全ての商品について前記価格データの読取りが終了した時刻を記憶する第１読取り装置と、
前記第１読取り装置に接近した箇所に配置され、同読取り装置により読取られた商品の合計金額が印刷された精算券を発行する発券装置と、
前記第１読取り装置から離れた箇所に配置され、前記精算券に印刷された前記合計金額を読取る第２読取り装置と、
前記第２読取り装置に接近した箇所に配置された金銭収受装置と、
前記第１読取り装置の近くの購買者を撮影し、その画像データを撮影時刻に関連付けて記憶する撮像装置と、
前記第１読取り装置により記憶された読取り終了時刻から所定時間以内に、前記第２読取り装置により読取られた合計金額の金銭が前記金銭収受装置で収受されない場合、前記第１読取り装置による読取り終了時刻に前記撮像装置にて記憶された画像データに対し、不正精算を示す識別データを付す識別装置と
を備えることを特徴とする精算システム。
【請求項２】
前記第２読取り装置は、読取った合計金額を表示する表示部を有する請求項１に記載の精算システム。
【請求項３】
前記識別装置により前記識別データが付された画像データを表示する画像表示装置をさらに備える請求項１又は２に記載の精算システム。
【請求項４】
前記商品を搬送するコンベアをさらに備え、
前記第１読取り装置は、前記コンベアによる前記商品の搬送方向についての終端位置に接近した箇所に設置されている請求項１〜３のうちのいずれか一項に記載の精算システム。
【請求項５】
前記コンベアの始端位置に前記商品が置かれたことを検出する始端センサと、
前記コンベアにより前記商品が前記終端位置まで搬送されたことを検出する終端センサと
をさらに備え、前記コンベアは、前記始端センサによる前記商品の検出に応じて作動を開始させられ、前記終端センサによる前記商品の検出に応じて作動を停止させられる請求項４に記載の精算システム。
【考案の詳細な説明】
【技術分野】
【０００１】
本考案は、スーパーマーケット等における精算システムに関するものである。
【背景技術】
【０００２】
スーパーマーケット等で採用されている精算システムとしては、以下のものが一般的である。
（ａ）購買者が、購買予定の商品を入れた買物かごを台の上に載せる。
【０００３】
（ｂ）店員が、上記買物かごから別の買物かごへ商品を移動させながら、商品毎に付されたバーコードを読取り装置にかざす。読取り装置では、バーコードに含まれる各商品の価格情報が読取られる。
【０００４】
（ｃ）読取られた商品の金額（積算額）が、購買者に向けられた表示装置に表示される。全ての商品の価格データが読取り装置によって読取られた後には、合計金額が表示装置に表示される。
【０００５】
（ｄ）表示された合計金額の金銭を購買者が店員に支払う。
（ｅ）店員が、受け取った金額を確認した後、レジスターに納める。釣銭が必要な場合には、店員はレジスターから釣銭を取り出して購買者に渡す。店員は、レジスターから発行されるレシートを購買者に渡す。
【０００６】
上記の一連の精算作業は、通常は１人の購買者につき１人の店員によって行なわれるため、作業に時間がかかる。そのため、精算を希望する購買者の数が多くなると、購買者が並ぶ、いわゆるレジ待ちを生ずる。
【０００７】
そこで、店員の作業を減らして上記の問題を解消しようとする精算システムが、種々考えられている。例えば、第１読取り装置、発券装置、第２読取り装置及び金銭収受装置を備えた精算システムが考えられている。
【０００８】
この精算システムでは、店員が、商品毎に付されたバーコードを第１読取り装置にかざす。第１読取り装置では、バーコードに含まれる各商品の価格情報が読取られる。発券装置では、第１読取り装置により読取られた購入予定の全ての商品の合計金額を印刷した精算券が発行される。この精算券が、店員から購買者に渡される。
【０００９】
購買者は、渡された精算券を持って、第１読取り装置から離れた第２読取り装置まで移動し、その精算券を第２読取り装置にかざす。第２読取り装置では、精算券に印刷された合計金額が読取られる。購買者は、金銭を金銭収受装置に支払う。
【００１０】
従って、上記精算システムによれば、店員は、金銭を受取ったり釣銭を渡したりしなくてもすむ。
なお、特許文献１には、上記精算システムに関連する精算システムが記載されている。この精算システムでは、第１読取り装置及び発券装置に相当する登録装置と、第２読取り装置及び金銭収受装置に相当する精算装置とが分けられ、精算装置が登録装置から離れた箇所に配置される。そして、登録装置の操作は店員によって行なわれ、精算装置の操作は購買者によって行なわれる。
【先行技術文献】
【特許文献】
【００１１】
【特許文献１】特開２０１０−８６２０２号公報
【考案の概要】
【考案が解決しようとする課題】
【００１２】
ところが、特許文献１を含む上記従来の精算システムでは、第２読取り装置及び金銭収受装置が、第１読取り装置及び発券装置から離れた箇所に設置されている。このことから、発券装置で発行された精算券を持った購買者が、第２読取り装置及び金銭収受装置まで移動せず、すなわち、必要な金銭を支払わずに、商品を持って店から出てしまう不正が行なわれても、店員が気付かないおそれがある。
【００１３】
本考案は、このような実情に鑑みてなされたものであって、その目的は、店員の作業を軽減してレジ待ちを抑制しつつ、不正精算を把握することのできる精算システムを提供することにある。
【課題を解決するための手段】
【００１４】
上記課題を解決する精算システムは、購買者の購買予定の商品毎に付された価格データを読取るとともに、購買予定の全ての商品について前記価格データの読取りが終了した時刻を記憶する第１読取り装置と、前記第１読取り装置に接近した箇所に配置され、同読取り装置により読取られた商品の合計金額が印刷された精算券を発行する発券装置と、前記第１読取り装置から離れた箇所に配置され、前記精算券に印刷された前記合計金額を読取る第２読取り装置と、前記第２読取り装置に接近した箇所に配置された金銭収受装置と、前記第１読取り装置の近くの購買者を撮影し、その画像データを撮影時刻に関連付けて記憶する撮像装置と、前記第１読取り装置により記憶された読取り終了時刻から所定時間以内に、前記第２読取り装置により読取られた合計金額の金銭が前記金銭収受装置で収受されない場合、前記第１読取り装置による読取り終了時刻に前記撮像装置にて記憶された画像データに対し、不正精算を示す識別データを付す識別装置とを備えている。
【００１５】
上記の構成によれば、店員により第１読取り装置に対し読取り操作が行なわれると、同読取り装置では、商品毎の価格データが読取られるとともに、購買予定の全ての商品について、価格データの読取りの終了した時刻が記憶される。発券装置からは、第１読取り装置によって読取られた購入予定の商品の合計金額を印刷した精算券が発行される。
【００１６】
上記精算券を受け取った購買者が第１読取り装置から離間した第２読取り装置まで移動し、精算券の読取り操作が行なわれると、その精算券に印刷されている合計金額が読取られる。また、金銭収受装置に対し購買者から金銭が支払われる。
【００１７】
従って、店員は、購買者から金銭を受取ったり、購買者に釣銭を渡したりする作業を行なわなくてもすみ、１人の店員が１人の購買者に対し行なう作業の時間が短くなる。
一方、店員及び購買者により上記一連の作業が行なわれるなか、撮像装置により第１読取り装置の近くの購買者が撮影され、その画像データが撮影時刻に関連付けて記憶される。そして、第１読取り装置により記憶された読取り終了時刻から所定時間以内に、第２読取り装置により読取られた合計金額の金銭が金銭収受装置で収受されないと、識別装置では、第１読取り装置による読取り終了時刻に撮像装置にて記憶された画像データに対し、不正精算を示す識別データが付される。そのため、発券装置で発行された精算券を持った購買者が、第２読取り装置及び金銭収受装置まで移動せず、すなわち、必要な金銭を支払わずに、商品を持って店から出てしまう不正精算が行なわれても、上記識別データの付された画像データにより、その購買者を特定することが可能となる。
【００１８】
上記精算システムにおいて、前記第２読取り装置は、読取った合計金額を表示する表示部を有することが好ましい。
上記の構成によれば、第２読取り装置において精算券に印刷された合計金額が読取られると、その合計金額は、同第２読取り装置の表示部で表示される。そのため、購買者は、表示部に表示されている合計金額を見ることで、支払うべき合計金額を確認することが可能となる。
【００１９】
上記精算システムにおいて、前記識別装置により前記識別データが付された画像データを表示する画像表示装置をさらに備えることが好ましい。
上記の構成によれば、識別装置において、第１読取り装置による読取り終了時刻に撮像装置にて記憶された画像データに対し、不正精算を示す識別データが付されると、その識別データの付された画像データは画像表示装置で表示される。そのため、店員は、画像表示装置を見ることで、不正精算を行なった購買者を知る。従って、この表示を通じて、不正精算を行なった購買者を多くの店員に周知させることが可能である。
【００２０】
上記精算システムにおいて、前記商品を搬送するコンベアをさらに備え、前記第１読取り装置は、前記コンベアによる前記商品の搬送方向についての終端位置に接近した箇所に設置されていることが好ましい。
【００２１】
上記の構成によれば、購買者が、コンベアの上に購買予定の商品を置くと、そのコンベアにより商品が第１読取り装置に近づく側へ搬送される。従って、第１読取り装置の近くにいる店員は、コンベアにより搬送されてくる商品を順に取り上げて、第１読取り装置に対し読取り操作を行なうことで、多くの商品の価格データを短時間で第１読取り装置に読取らせることが可能となる。
【００２２】
上記精算システムにおいて、前記コンベアの始端位置に前記商品が置かれたことを検出する始端センサと、前記コンベアにより前記商品が前記終端位置まで搬送されたことを検出する終端センサとをさらに備え、前記コンベアは、前記始端センサによる前記商品の検出に応じて作動を開始させられ、前記終端センサによる前記商品の検出に応じて作動を停止させられることが好ましい。
【００２３】
上記の構成によれば、購買者により、購買予定の商品がコンベアの始端位置に置かれ、そのことが始端センサによって検出されると、コンベアの作動が開始させられ、コンベアによる商品の搬送が開始される。そして、上記商品がコンベアにより終端位置まで搬送されて、そのことが終端センサによって検出されると、コンベアの作動が停止させられる。従って、商品を第１読取り装置側へ搬送する必要があるときのみコンベアを作動させ、同コンベアの不要な作動を減らすことが可能となる。
【考案の効果】
【００２４】
上記精算システムによれば、店員の作業を軽減してレジ待ちを抑制しつつ、不正精算を把握することができる。
【図面の簡単な説明】
【００２５】
【図１】一実施形態における精算システムの概略構成を示す平面図。
【図２】図１中の第１読取り装置及びその周辺部分について、一部を省略して示す部分拡大平面図。
【図３】精算システムの一部を構成する、搬送装置、第１読取り装置、発券装置等を店員側から見た状態を示す背面図。
【図４】精算システムの一部を構成する、第２読取り装置、金銭収受装置等を示す図であり、（ａ）は購買者側から見た正面図、（ｂ）は側面図。
【考案を実施するための形態】
【００２６】
以下、精算システムの一実施形態について、図面を参照して説明する。
最初に、精算システムの基本的な構成について、図１を参照して説明する。精算システムは、基本構成として、搬送装置１５、第１読取り装置２５及び発券装置３０を備えるほか、第２読取り装置３５、金銭収受装置４０及びレシート発券装置４５を備える。
【００２７】
次に、各部について説明する。
図２は、図１の一部を拡大して示している。また、図３は、搬送装置１５、第１読取り装置２５、発券装置３０等を店員Ａ側、すなわち図２の上側から見た状態を示している。そのため、図３の左右方向は、図２の左右方向とは逆の関係になる。図２及び図３に示すように、搬送装置１５は、購買者Ｂが精算に際し通る通路１１に沿って商品Ｍを連続的に搬送するコンベアを備えている。本実施形態では、このコンベアとして、上記通路１１に沿って互いに離間した箇所に配置され、かつモータにより回転駆動される一対のプーリ１７と、両プーリ１７の周りに張られた無端状のベルト１８とを備えるベルトコンベア１６が採用されている。ベルト１８上には、購買者Ｂによって購買予定の商品Ｍが置かれる。各商品Ｍには、その価格に関する情報を含むバーコード（図示略）が付されている。ベルトコンベア１６では、両プーリ１７の回転によりベルト１８が周回させられて、ベルト１８上の商品Ｍが、上記通路１１に沿って図２及び図３において矢印Ｘで示す方向へ搬送される。
【００２８】
ベルトコンベア１６には、始端位置に商品Ｍが載置されたことを検出する始端センサ２１と、終端位置まで商品Ｍが搬送されたことを検出する終端センサ２２とが設けられている。両センサ２１，２２は、ベルト１８による商品Ｍの搬送経路から僅かに外れた箇所、例えばベルト１８の上方であり、かつ同ベルト１８の幅方向についての側方近傍に配置されている。ベルトコンベア１６は、始端センサ２１による商品Ｍの検出に応じて周回を開始させられ、終端センサ２２による商品Ｍの検出に応じて周回を停止させられる。
【００２９】
第１読取り装置２５は、ベルトコンベア１６の終端位置に接近した箇所に配置された台２６の上に配置されている。第１読取り装置２５は、商品Ｍ毎に付されたバーコードがかざされると、そのバーコードに含まれている価格情報を読取る。第１読取り装置２５に接近した箇所には、同第１読取り装置２５での価格情報の読取りに際し、店員Ａによって操作される操作部２８が設けられている。購買者Ｂの購買予定の全ての商品Ｍについて価格情報の読取りが終了すると、店員Ａにより操作部２８に対し予め定められた操作、例えば特定のキーを押す操作が行なわれる。この操作に応じ、第１読取り装置２５は、購買者Ｂの購買予定の全ての商品Ｍについて価格情報の読取りが終了した時刻を、自身が有するメモリに記憶する。第１読取り装置２５は、読取った金額を購買者Ｂに向けて表示する表示部２７を備えている。
【００３０】
発券装置３０は、精算券３１を発行する装置であり、上記台２６において第１読取り装置２５の下側に接近した箇所に配置されている。発券装置３０は、精算券３１の発行に際し、第１読取り装置２５によって読取られた購入予定の全ての商品Ｍの合計金額をシートに印刷する。
【００３１】
図１及び図４（ａ），（ｂ）に示すように、上記第１読取り装置２５から離れた箇所には台３６が配置されており、この台３６の上に第２読取り装置３５が配置されている。第２読取り装置３５は、上記発券装置３０で発行された精算券３１がかざされると、その精算券３１に印刷されている合計金額を読取る。第２読取り装置３５は、精算券３１から読取った合計金額を表示する表示部３７を備えている。
【００３２】
金銭収受装置４０は、購買者Ｂにより支払われる金銭を収受するための措置であり、上記台３６の上部であって第２読取り装置３５の下側に接近した箇所に配置されている。金銭収受装置４０は、金銭の投入口４１を備えるほか、釣銭払い戻し部４２を備えている。
【００３３】
レシート発券装置４５は、レシート４６（受領書）を発行する装置であり、上記台３６の上であって、第２読取り装置３５の側方に接近した箇所に配置されている。レシート発券装置４５は、金銭収受装置４０で収受された金額（領収金額）のほか、その金額の内訳等、購買にかかる情報等をシートに印刷する。
【００３４】
図１に示すように、本実施形態の精算システムは、上述した基本構成に加え、撮像装置５０、識別装置５５及び画像表示装置６０を備えている。
撮像装置５０は、監視カメラ等からなり、天井等の高所に設置されている。撮像装置５０は、精算システムの稼働中は、第１読取り装置２５の周辺を撮影している。撮像装置５０による撮影の対象には、第１読取り装置２５の前に立っている購買者Ｂ、特にその顔部が含まれている。撮像装置５０は、撮影した購買者Ｂの画像データを、撮影時刻に関連付けて、自身が有するメモリに記憶する。
【００３５】
識別装置５５は、不正精算があったかどうかを識別するための装置であり、コンピュータによって構成されている。識別装置５５は、第１読取り装置２５によって記憶された読取り終了時刻から所定時間以内に、第２読取り装置３５により読取られた合計金額の金銭が金銭収受装置４０で収受されたかどうかを監視している。そして、識別装置５５は、合計金額の金銭が金銭収受装置４０で収受されない場合には、第１読取り装置２５による読取り終了時刻に撮像装置５０のメモリに記憶された画像データに対し、不正精算を示す識別データを付す。
【００３６】
画像表示装置６０は、識別装置５５によって識別データが付された画像データを表示するためのものであり、店員Ａの目に入りやすい箇所、ここでは、第１読取り装置２５の上側に接近した箇所に配置されている。
【００３７】
上記のようにして本実施形態の精算システムが構成されているが、この精算システムは、スーパーマーケット内に複数箇所に設けられている。
次に、上記精算システムの作用について説明する。
【００３８】
前提として、図２に示すように店員Ａが、第１読取り装置２５及び発券装置３０の近くに配置される。
購買予定の商品Ｍの入れられた買い物カート（図示略）は、購買者Ｂによりベルトコンベア１６の始端位置の近くまで運ばれる。買い物カートから１つずつ商品Ｍが購買者Ｂによって取り出され、ベルト１８の始端位置の付近に置かれる。商品Ｍが始端センサ２１によって検出されると、ベルトコンベア１６の作動が開始させられ、ベルト１８の周回による商品Ｍの矢印Ｘ方向への搬送が開始される。そして、商品Ｍが終端位置まで搬送されて、そのことが終端センサ２２によって検出されると、ベルトコンベア１６の作動、この場合、ベルト１８の周回が停止させられる。これは、購入予定の商品Ｍが１つである場合のベルトコンベア１６の作動及び停止の態様である。
【００３９】
購入予定の商品Ｍの数が複数であって、図３において二点鎖線で示すように、搬送された商品Ｍが最後のものではない場合には、その商品Ｍは終端センサ２２によって検出される前に、店員Ａによって取り上げられてもよい。この場合には、ベルト１８の周回が停止されることなく、複数の商品Ｍを連続して搬送することが可能である。
【００４０】
店員Ａによって取り上げられた商品Ｍに付されたバーコードが、第１読取り装置２５にかざされると、すなわち、店員Ａにより第１読取り装置２５に対し読取り操作が行なわれると、その第１読取り装置２５では、バーコードに含まれている価格情報、すなわち価格データが読取られる。読取られた金額は、購買者Ｂ側へ向けられた表示部２７で表示される。この読取り操作が、購買予定の全ての商品Ｍについて行なわれる。そして、店員Ａにより操作部２８に対し、特定のキーが押される等、予め定められた操作が行なわれると、この操作に応じ、第１読取り装置２５では、購買予定の全ての商品Ｍについて、価格データの読取りの終了した時刻が自身のメモリに記憶される。また、上記読取り操作がなされた商品Ｍは、店員Ａにより、第１読取り装置２５の近くに配備された新たな買い物カート（図示略）に入れられる。
【００４１】
また、発券装置３０からは、第１読取り装置２５によって読取られた購入予定の全ての商品Ｍの合計金額を印刷した精算券３１が発行される。この精算券３１は店員Ａから購買者Ｂに渡される。購買者Ｂは、店員Ａから渡された精算券３１に印刷されている合計金額を見ることで、支払うべき合計金額を知ることが可能である。また、精算券３１が渡される際、店員Ａから購買者Ｂに対し、その後に購買者Ｂがすべき精算処理についての説明がなされてもよい。そして、上記精算券３１とともに商品Ｍが入れられた買い物カートが購買者Ｂに引き渡される。
【００４２】
図１及び図４（ａ），（ｂ）に示すように、上記精算券３１と、買い物カートとを受け取った購買者Ｂは、第１読取り装置２５から離れた第２読取り装置３５まで移動する。購買者Ｂにより精算券３１が第２読取り装置３５にかざされると、すなわち、購買者Ｂにより第２読取り装置３５に対し読取り操作が行なわれると、その精算券３１に印刷されている合計金額が読取られる。この読取られた合計金額は、表示部３７で表示される。購買者Ｂは、表示部３７で表示されている合計金額を見ることで、支払うべき合計金額を確認することが可能である。
【００４３】
続いて、購買者Ｂによって投入口４１を通じ金銭収受装置４０に上記合計金額以上の金銭が投入される。金銭収受装置４０では、投入口４１に投入された金額と、精算券３１から読取った合計金額とが比較される。合計金額よりも多い金銭が投入された場合には、その差額の金銭を釣銭として釣銭払い戻し部４２から払い戻される。
【００４４】
その後、金銭収受装置４０に対し、合計金額と同額の金銭が投入された場合、又は合計金額よりも多い金銭が投入されて釣銭が払い戻された場合には、レシート発券装置４５から、金銭収受装置４０で収受された金額（領収金額）等が印刷されたレシート４６が発行される。
【００４５】
そして、商品Ｍが入れられた買い物カートが購買者Ｂによりサッカー台（図示略）の近くまで運ばれ、そのサッカー台上で商品Ｍが買い物袋等に移し替えられる。
従って、店員Ａは、購買者Ｂから金銭を受け取ったり、購買者Ｂに釣銭を渡したりする作業を行なわなくてもすみ、その分、店員Ａの作業が軽減される。店員Ａが１人の購買者Ｂに対し行なう作業の時間が短くなり、その結果、レジ待ちが発生しにくくなる。
【００４６】
一方、店員Ａ及び購買者Ｂにより上記一連の作業が行なわれるなか、第１読取り装置２５の周辺が撮影される。撮像装置５０による撮影の対象には、第１読取り装置２５の前に立っている購買者Ｂの顔部が含まれる。撮影された購買者Ｂの画像データは、撮影時刻に関連付けて、撮像装置５０のメモリに記憶される。
【００４７】
識別装置５５では、第１読取り装置２５により記憶された読取り終了時刻から所定時間以内に、第２読取り装置３５により読取られた合計金額の金銭が金銭収受装置４０で収受されたかどうかが判断される。ここでの所定時間は、大部分の買い物客が、第１読取り装置２５で価格データが読取られてから金銭収受装置４０に金銭を投入し終えるまでに実際に要する時間をもとに、その時間よりも多めの時間が設定されている。
【００４８】
そして、識別装置５５では、上記所定時間以内に合計金額の金銭が金銭収受装置４０に投入されないと、第１読取り装置２５による読取り終了時刻に撮像装置５０のメモリに記憶された画像データに対し、不正精算を示す識別データが付される。
【００４９】
そのため、精算券３１を持った購買者Ｂが、第２読取り装置３５及び金銭収受装置４０まで移動せず、すなわち、必要な金銭を支払わずに、商品Ｍを持って店から出てしまう不正精算が行なわれても、上記識別データの付された画像データにより、不正精算が行なわれたことを把握し、不正精算を行なった購買者Ｂを特定することが可能である。不正精算のあった後に、その購買者Ｂが再び来店した場合には、再度の不正精算に目を光らせることが可能となる。
【００５０】
また、本実施形態では、上記識別データの付された画像データは、第１読取り装置２５の上側に並設された画像表示装置６０で表示される。そのため、店員Ａは、画像表示装置６０を見ることで、不正精算を行なった購買者Ｂを知る。従って、この表示を通じて、不正精算を行なった購買者Ｂを多くの店員Ａに周知させることが可能である。
【００５１】
そのほか、識別データの付された画像データを印刷し、これを店員Ａ間で回覧したり、開店前等のミーティングの際に店員Ａに見せたりすることで、周知させることが可能である。
【００５２】
以上詳述した本実施形態によれば、次の効果が得られる。
（１）商品Ｍ毎に付された価格データを読取るとともに、購買予定の全ての商品Ｍについて価格データの読取りが終了した時刻を記憶する第１読取り装置２５を設ける（図３）。読取られた購入予定の全ての商品Ｍの合計金額が印刷された精算券３１を発行する発券装置３０を、第１読取り装置２５に接近した箇所に配置する。精算券３１に印刷された合計金額を読取る第２読取り装置３５を、第１読取り装置２５から離れた箇所に配置し、金銭収受装置４０を第２読取り装置３５に接近した箇所に配置する（図１）。さらに、撮像装置５０では、第１読取り装置２５の近くの購買者Ｂを撮影し、その画像データを撮影時刻に関連付けて記憶する。識別装置５５では、第１読取り装置２５により記憶された読取り終了時刻から所定時間以内に、第２読取り装置３５により読取られた合計金額の金銭が金銭収受装置４０で収受されない場合、第１読取り装置２５による読取り終了時刻に撮像装置５０にて記憶された画像データに対し、不正精算を示す識別データを付すようにしている（図１）。
【００５３】
そのため、店員Ａが金銭を受け取ったり釣銭を渡したりする作業を不要にすることで、店員Ａの作業を軽減してレジ待ちを抑制しつつ、不正精算を把握することができる。
（２）第２読取り装置３５に、読取った合計金額を表示する表示部３７を設けている（図４（ａ），（ｂ））。
【００５４】
そのため、購買者Ｂは、表示部３７に表示されている合計金額を見ることで、支払うべき合計金額を確認することができる。
（３）識別装置５５により識別データが付された画像データを表示する画像表示装置６０を設けている（図１〜図３）。
【００５５】
そのため、画像表示装置６０で表示されている画像を見ることで、不正精算を行なった購買者Ｂを店員Ａに周知させることができる。
（４）搬送装置１５として、商品Ｍを搬送するベルトコンベア１６を設ける。第１読取り装置２５を、ベルトコンベア１６による商品Ｍの搬送方向についての終端位置に接近した箇所に設置している（図１〜図３）。
【００５６】
そのため、第１読取り装置２５の近くにいる店員Ａは、ベルトコンベア１６により搬送されてくる商品Ｍを順に取り上げて、第１読取り装置２５に対し読取り操作を行なうことで、多くの商品Ｍの価格データを短時間で第１読取り装置２５に読取らせることができる。
【００５７】
（５）ベルトコンベア１６の始端位置に始端センサ２１を設け、終端位置に終端センサ２２を設ける。始端センサによる商品Ｍの検出に応じてベルトコンベア１６の作動を開始させ、終端センサによる商品Ｍの検出に応じてベルトコンベア１６の作動を停止させるようにしている（図２、図３）。
【００５８】
そのため、商品Ｍを第１読取り装置２５側へ搬送する必要があるときのみベルトコンベア１６を作動させ、ベルトコンベア１６の不要な作動を減らすことができる。
なお、上記実施形態は、これを以下のように変更した変形例として実施することもできる。
【００５９】
・ベルトコンベア１６とは異なるタイプのコンベア、例えば、多数本のローラが並設され、それらの上に商品Ｍが載せられて搬送される、いわゆるローラコンベアが採用されてもよい。
【００６０】
・購入予定の商品Ｍが複数である場合、ベルトコンベア１６の作動及び停止が上記実施形態とは異なる態様で行なわれてもよい。例えば、始端位置に商品Ｍが置かれてから、次の商品Ｍが置かれるまでの時間を計時し、その計時した時間が予め設定した時間よりも短い場合には、終端センサ２２によって商品Ｍが検出されてもベルトコンベア１６の作動が停止されないようにする。これに対し、計時した時間が予め設定した時間よりも長い場合には、最後に始端センサ２１によって検出された商品Ｍが終端センサ２２によって検出されることをもって、ベルトコンベア１６の作動が停止させられてもよい。
【００６１】
・識別装置５５により不正精算を示す識別データが画像データに付された場合に、不正精算があったことを店員Ａに報知するための手段が設けられてもよい。例えば、図１及び図４（ａ），（ｂ）において二点鎖線で示すように、台３６上にポール６５が立てられ、そのポール６５の上端部に、不正精算があったことを光で報知する報知灯６６が設けられてもよい。そして、識別装置５５において識別データを画像データに付す処理が行なわれた場合には、報知灯６６が点灯されたり、点滅されたり、点灯色が変更されたりしてもよい。
【００６２】
・ベルトコンベア１６により商品Ｍが終端位置の近くまで搬送される際、その商品Ｍを店員Ａ側へ導くガイド部材が設けられてもよい。図１〜図３における二点鎖線は、ガイド部材３２の一例を示している。ガイド部材３２において、商品Ｍの搬送方向についての上流側の角部には、突状の湾曲面３２ａが設けられることが好ましい。このようにすると、商品Ｍが湾曲面３２ａに接触しながら搬送されることで、同商品Ｍが搬送に伴い店員Ａ側に近づけられるため、店員Ａは商品Ｍを取り上げやすくなる。
【００６３】
・精算システムは、第１読取り装置２５、発券装置３０、第２読取り装置３５、金銭収受装置４０、撮像装置５０及び識別装置５５を必須の構成要素としている。従って、それ以外の要素、例えば搬送装置１５、表示部３７、画像表示装置６０等については適宜省略が可能である。
【符号の説明】
【００６４】
１６…ベルトコンベア（コンベア）、２１…始端センサ、２２…終端センサ、２５…第１読取り装置、３０…発券装置、３１…精算券、３５…第２読取り装置、３７…表示部、４０…金銭収受装置、５０…撮像装置、５５…識別装置、６０…画像表示装置、Ｂ…購買者、Ｍ…商品。
【図１】
0003185696.tif 000003
【図２】
0003185696.tif 000004
【図３】
0003185696.tif 000005
【図４】
0003185696.tif 000006